(57)【要約】【課題】  撮影術式などで選択された装置の受像部に対し、Ｘ線管装置を水平軸回転させ容易に所定のＸ線入射角度にセッティングできる天井懸垂式Ｘ線管保持装置を提供する。【解決手段】  操作者は操作ハンドル３と操作パネル部４の操作スイッチを操作し、天井のキャリッジ部７の移動、支柱６の伸縮、Ｘ線管装置１の垂直軸及び水平軸回りの回転を行い、Ｘ線管装置１を（ａ）立位撮影台９の受像部１１方向に向ける。そのとき操作卓の撮影術式で立位撮影台９が選択されておれば、表示パネル５の角度表示は基準角度位置０°を表示する。また、（ｂ）水平撮影台１２の受像部１３方向に向ける。そのとき操作卓の撮影術式で水平撮影台１２が選択されておれば、表示パネル５の角度表示は基準角度位置０°を表示する。操作者は表示パネル５の角度表示を見ながら、その基準角度位置から時計回り又は反時計回りの＋、−の増減角度により要求される斜入角位置を設定する。【選択図】          図１
2005065942.tif 000002
【特許請求の範囲】
【請求項１】
天井に設けられたレール上を水平面内で移動するキャリッジ部と、そのキャリッジ部から伸縮自在に懸垂された支柱と、その支柱の下方部に取付ブロックを介して前記支柱の周囲に回動可能に取り付け、かつ取付ブロックに対して水平軸を介して回転可能に取り付けられたＸ線管装置と、前記キャリッジ部の水平面移動、支柱の伸縮、Ｘ線管装置の回動及び回転のロック解除用の操作スイッチを備えるとともに操作ハンドルをＸ線管装置に一体的に取付けた操作パネル部と、その操作パネル部に設けられＸ線管装置の水平軸回転角度をデジタル表示する表示パネルと、操作パネル部の操作スイッチを操作してキャリッジ部及び支柱の動作、Ｘ線管装置の回動及び回転を制御する制御部とを備え、前記操作スイッチと操作ハンドルの操作でＸ線管装置を上下・左右・前後に移動させ、支柱に対して回動操作と回転操作を行わせＸ線照射をあらゆる方向にできるようにした天井懸垂式Ｘ線管保持装置において、前記制御部に撮影術式のＸ線入射角度が受像部の法線方向と一致する角度情報を記憶する記憶装置と、その角度を基準位置に変更し回転方向を定義する手段とを設け、前記表示パネルの水平軸回転角度表示をみながらＸ線管装置をセッティングできるようにしたことを特徴とする天井懸垂式Ｘ線管保持装置。
【請求項２】
表示パネルにＸ線管装置の水平軸回転角度の基準位置の変更と回転方向を定義できる機能スイッチを設けたことを特徴とする請求項１記載の天井懸垂式Ｘ線管保持装置。
【発明の詳細な説明】
【技術分野】
【０００１】
本発明は、Ｘ線管装置を保持するＸ線管保持装置に係わり、特に、天井などから吊設されたＸ線管装置を、操作パネル部に設けられた操作スイッチと操作ハンドルで前後左右に走行させ、上下移動させ、垂直軸回りに回動（旋回）及び水平軸回りに回転させて撮影位置にセットする天井懸垂式Ｘ線管保持装置に関する。
【背景技術】
【０００２】
天井走行式のＸ線管保持装置は、天井にレールを設け、これに懸架した台車から伸縮可能な支柱を吊設し、その下端に取付ブロックを介してＸ線管装置を取り付けたもので、左右・前後走行、上下移動、及び、Ｘ線管装置の回動（垂直軸回り）、回転（水平軸回り）などが可能であり、左右・前後走行、上下移動の位置の固定は電磁ロック式のものが使用され、また、Ｘ線管装置の回動（垂直軸回り）設定には特定位置にストッパ手段による方式が用いられている。この天井走行式のＸ線管保持装置を用いれば、床に構造物が無いため、床面を有効に利用することができ、リーダ撮影台、ブッキー撮影台、Ｘ線透視撮影台等と組み合わせて診断することができる（例えば、特許文献１参照。）。
【０００３】
図５に、天井からＸ線管装置１が懸垂され走行する天井懸垂式Ｘ線管保持装置の外形図を示し、Ｘ線照射方向が床面方向に向けられた状態を示す。
天井懸垂式Ｘ線管保持装置は、天井に固定された長手動用の固定レール７ａ上でＸ方向に移動（天井部動作）でき、その下部に短手動用の移動レール７ｂを備え、その移動レール７ｂ上をＹ方向に移動（天井部動作）できるように、キャリッジ部７が取り付けられ、Ｘ−Ｙ方向に移動することができる。そして、下部に上下に伸縮（天井部動作）する支柱６を備え、下端に取付ブロック８を介してＸ線可動絞り２付きのＸ線管装置１と操作ハンドル１６と操作スイッチ１５と表示パネル１４ａを設けた操作パネル部１４を懸垂する。
操作パネル部１４には、天井のキャリッジ部７の長手動ロック解除スイッチ、短手動ロック解除スイッチ、および支柱６の伸縮による上下動ロック解除スイッチ、及び、Ｘ線管装置１の水平軸及び垂直軸回転のロック解除スイッチなどの操作スイッチ１５が設けられ、これらのスイッチを解除してから天井のキャリッジ部７の移動（天井部動作）、及び支柱６の伸縮（天井部動作）、または、Ｘ線管装置１のロック解除スイッチを解除して、Ｘ線管装置１を取付けブロックを介して水平軸回りに回転（管球水平軸回転）でき、また、垂直軸回りに特定の角度まで回転（管球垂直軸回転）することができる。
【０００４】
操作パネル部１４は、円形状の操作ハンドル１６を備え、操作パネル部１４の両側に、長手動ロック解除スイッチ、短手動ロック解除スイッチ、および支柱６の伸縮による上下動ロック解除スイッチと、Ｘ線管装置１の水平軸回転および垂直軸回転のロック解除スイッチなどが配置され、Ｘ線管装置１の水平軸回転角度を表示する表示パネル１４ａが中央に設けられている。
操作者がＸ線管装置１の前方に位置する操作パネル部１４の操作ハンドル１６を握り、操作パネル部１４に設けられた操作スイッチ１５（長手動ロック解除スイッチ、短手動ロック解除スイッチ、上下動ロック解除スイッチ）を選択することで、Ｘ、Ｙ、Ｚ方向の電磁ロックが解除され、キャリッジ部７から懸垂された支柱６を、固定レール７ａ、移動レール７ｂ上でＸ−Ｙ方向に移動させ、懸垂部の支柱６を上下に伸縮することができ、Ｘ線管装置１を自由にＸ、Ｙ、Ｚ方向に移動させ、撮影位置にセットすることができる。そして、支柱６の垂直軸に対して取付ブロック８を介してＸ線管装置１を回動（管球垂直軸回転）できる機能のロック解除スイッチを操作し、特定の角度に回動し固定する。また、Ｘ線管装置１の取付軸を中心にして回転（管球水平軸回転）できる機能のロック解除スイッチを操作し、Ｘ線管装置１を水平軸回りに回転させ固定する。上記の操作によりＸ線管装置１のＸ線放射口に取付けられたＸ線可動絞り２を被検者の撮影部位に向けることができる。
【特許文献１】特開平６−１６５７７３号公報  （第６頁、第６図）
【発明の開示】
【発明が解決しようとする課題】
【０００５】
従来の天井懸垂式Ｘ線管保持装置は以上のように構成されているが、天井走行水平面内での移動、上下移動などの天井部動作と、水平軸回転及び垂直軸回転などの管球部動作によりＸ線管装置１の位置決め及び角度付けが行われ、各動作方向への操作は、操作パネル部１４の操作スイッチ１５を押しながら行っている。Ｘ線管装置１の水平軸回転は、被検者が主に立位の場合は、床面に対し水平状態（９０°）に設定し、臥位の場合には、床面に対し垂直（０°）にセットされる。また、これらの途中の角度も術式により存在し、設定位置を数値的に認識するため、操作パネル部１４の表示パネル１４ａに水平軸回転の現在位置角度をデジタル数値で表示している。しかし、据付時にセンサ信号の角度校正を行った後は、常に絶対位置表示になり、例えば、床面に向いて垂直な状態で０°とし、水平軸回転に対して角度は一意に決まっている。
ただし、例えば立位で、撮影技法の要求により水平軸回転の角度付けが、立位に対して何度という設定がある。この場合、従来の装置では床面に対し垂直を０°とし、この位置を基準とした絶対的な回転角度が表示されるだけであったため、Ｘ線の入射設定角度を９０°から加算減算をして、目標の角度を知り、水平軸回転の表示を見ながら装置のセッティングを行う。このとき、撮影技法により要求される入射角度は垂直に置かれた受像部（フイルム受光部）に対する角度であり、Ｘ線管装置１の回転が＋９０°方向と−９０°方向では上下方向に対する回転方向の定義が異なり、間違いを犯し易い。
入射角度の決定は、装置を使う手技の性格上、検査に手際とスピードが要求され、操作者に計算を要求すると、被検者へのケアなどに気を取られ、計算のミスなどで装置のセッティングに失敗を誘発する危険性があるという問題がある。
本発明は、このような事情に鑑みてなされたものであって、撮影術式（立位、水平位などの撮影）の選択によって受像部（フイルム受光部）に対しＸ線管装置を水平軸回転させ容易に所定の角度にセッティングできる天井懸垂式Ｘ線管保持装置を提供することを目的とする。
【課題を解決するための手段】
【０００６】
上記の目的を達成するため、本発明の天井懸垂式Ｘ線管保持装置は、天井に設けられたレール上を水平面内で移動するキャリッジ部と、そのキャリッジ部から伸縮自在に懸垂された支柱と、その支柱の下方部に取付ブロックを介して前記支柱の周囲に回動可能に取り付け、かつ取付ブロックに対して水平軸を介して回転可能に取り付けられたＸ線管装置と、前記キャリッジ部の水平面移動、支柱の伸縮、Ｘ線管装置の回動及び回転のロック解除用の操作スイッチを備えるとともに操作ハンドルをＸ線管装置に一体的に取付けた操作パネル部と、その操作パネル部に設けられＸ線管装置の水平軸回転角度をデジタル表示する表示パネルと、操作パネル部の操作スイッチを操作してキャリッジ部及び支柱の動作、Ｘ線管装置の回動及び回転を制御する制御部とを備え、前記操作スイッチと操作ハンドルの操作でＸ線管装置を上下・左右・前後に移動させ、支柱に対して回動操作と回転操作を行わせＸ線照射をあらゆる方向にできるようにした天井懸垂式Ｘ線管保持装置において、前記制御部に撮影術式のＸ線入射角度が受像部の法線方向と一致する角度情報を記憶する記憶装置と、その角度を基準位置に変更し回転方向を定義する手段とを設け、前記表示パネルの水平軸回転角度表示を見ながらＸ線管装置をセッティングできるようにしたものである。
【０００７】
また、本発明の天井懸垂式Ｘ線管保持装置は、表示パネルにＸ線管装置の水平軸回転角度の基準位置の変更と回転方向を定義できる機能スイッチを設けたものである。
【０００８】
本発明の天井懸垂式Ｘ線管保持装置は上記のように構成されており、操作スイッチと操作ハンドルの操作でＸ線管装置を上下・左右・前後に移動させ、支柱に対して回動（垂直軸回転）操作と、水平軸回転角度がデジタル表示された表示パネルを見ながら水平軸回転操作を行いＸ線照射をあらゆる方向にできるようにした装置において、装置の制御部に撮影術式のＸ線入射角度が受像部の法線方向と一致する角度情報を記憶した記憶装置と、その角度を基準位置０°に変更し回転方向を定義する表示変更器とを設ける。そして、Ｘ線操作卓の撮影術式を選択することで、制御部に記憶された撮影術式の角度情報が読み取られ、その信号によって表示変更器で角度基準位置が変更され、回転方向の定義がされ、表示パネルの管球角度表示部に信号が送られ、受像部の法線方向と一致する角度を角度基準位置０°とし回転方向の角度表示増減（時計回りを＋、反時計回りを−）を表示する。そして、Ｘ線管装置を表示パネルの数値に従ってセッティングする。
また、表示パネルにＸ線管装置の水平軸回転角度の基準位置の変更と回転方向を定義できる機能スイッチを設ける。そして、必要により表示パネル側からもこの機能スイッチを用いて水平軸回転角度の基準位置の変更と回転方向を定義する。
【発明の効果】
【０００９】
本発明の天井懸垂式Ｘ線管保持装置は上記のように構成されており、Ｘ線発生器操作卓などの外部装置から撮影術式を選択することで、また、操作者が操作パネル部の機能スイッチを操作することで、操作パネル部の表示パネルにＸ線管装置の水平軸回転角度の基準角度位置からの差が表示されるので、操作者は表示パネルの角度表示を０°になるように操作ハンドルと操作スイッチを操作してＸ線管装置を回転させれば、撮影術式の受像部の法線方向にＸ線入射方向を容易に確実に合わせることができる。そして。その基準角度位置０°から撮影技法の要求により水平回転の角度付けが必要な時、表示パネルの角度表示の＋、−表示（回転方向表示）の角度で回転させてセッティングすることができる。そのため、Ｘ線管装置のセッティングに必要な角度を一目で認識でき、要求された入射角度で検査を手際よくスピードアップすることができ、被検者に対しても撮影にかかる時間を短くでき、被検者への負担を軽減することができる。そして、操作者に計算を要求することなしに、被検者へのケアなどに気を使うことができ、計算のミスなどで装置のセッティングに失敗を誘発する危険性もなく、ミスを予防でき、スムースに撮影することができる。
【発明を実施するための最良の形態】
【００１０】
本発明の天井懸垂式Ｘ線管保持装置は、Ｘ線管装置からのＸ線入射方向を立位撮影台または水平撮影台などの受像部に、所定の斜入角度で容易に確実にセッティングできるＸ線管装置の回転基準角度位置および回転方向を表示するインテリジェントな表示パネルを搭載した装置を実現した。
【実施例１】
【００１１】
図１は、本発明の天井懸垂式Ｘ線管保持装置の撮影状態を示し、（ａ）は立位撮影台９と本装置を組み合わせ撮影する状態を示し、（ｂ）は水平撮影台１２と本装置を組み合わせて撮影する状態を示す。図２は、本発明の天井懸垂式Ｘ線管保持装置の操作部を示し、（ａ）は操作パネル部４、（ｂ）は表示パネル５を示す。図３は、本発明の天井懸垂式Ｘ線管保持装置の制御系統図を示す。
本発明の天井懸垂式Ｘ線管保持装置は、天井に設けられたレール上を水平面内で移動（長手動、短手動）するキャリッジ部７と、そのキャリッジ部７から伸縮自在に上下動する支柱６と、その支柱６の下方部に取付ブロック８を介して支柱６の周囲に回動（旋回）可能に取り付け、かつ取付ブロック８に対して水平軸を介して回転可能に取り付けられたＸ線管装置１と、キャリッジ部７の水平面移動、支柱６の伸縮、Ｘ線管装置１の回動（旋回）及び回転のロック解除用の操作スイッチを備えるとともに操作ハンドル３をＸ線管装置１に一体的に取付けた操作パネル部４と、その操作パネル部４に設けられＸ線管装置１の水平軸回転角度をデジタル表示する表示パネル５と、操作パネル部４の操作スイッチを操作してキャリッジ部７及び支柱６の動作、Ｘ線管装置１の回動（旋回）及び回転を制御する図２に示す制御部１０と、制御部１０に撮影術式のＸ線入射角度が受像部の法線方向と一致する角度情報を記憶した図３に示す撮影術式角度記憶装置１０ａと、その角度を基準位置に変更し回転方向を定義する表示変更器１０ｂとから構成される。
【００１２】
本天井懸垂式Ｘ線管保持装置は、従来の装置と異なるところは、従来の装置は、図５に示すように、Ｘ線管装置１の水平軸回転角度を数値的に認識するため、操作パネル部１４の表示パネル１４ａに現在位置角度をデジタル数値で表示している。しかし、据付時にセンサ信号の角度校正を行った後は、常に絶対位置表示になり、床面に向いて垂直な状態を角度基準位置０°とし、水平軸回転に対して角度は一意に決まっている。これに対し本装置は、図３に示すＸ線発生器操作卓などの外部装置から撮影術式を選択することで、また、操作者が操作パネル部４の機能スイッチ５ｅを操作することで、制御部１０の撮影術式角度記憶装置１０ａに記憶された撮影術式の角度情報が読み取られ、その信号によって表示変更器１０ｂで角度基準位置が変更され、回転方向の定義がされ、表示パネル５の管球角度表示部５ｃに信号が送られ、受像部の法線方向と一致する角度を角度基準位置０°とし回転方向の角度表示増減（時計回りを＋、反時計回りを−）を表示する。
【００１３】
次に、本天井懸垂式Ｘ線管保持装置の各部構成について説明する。
キャリッジ部７は、天井のＸ−Ｙ方向に設けられた長手動レール（固定レール）及び短手動レール（移動レール）上を水平面内で移動するもので、図２に示す操作パネル部４の操作スイッチ（長手動スイッチ４ａ、短手動スイッチ４ｂ、長手短手上下動スイッチ４ｆ）でロックを解除して移動させる。
支柱６は、キャリッジ部７から懸垂され、下端にＸ線管装置１を取り付け、上下に伸縮するもので、操作スイッチ（上下動スイッチ４ｃ）でロックを解除して伸縮される。
Ｘ線管装置１は、支柱６の下方部に取付ブロック８を介して取付けられ、照準器スイッチ２ａを有するＸ線可動絞り２が取付けられ、操作ハンドル３を握り、図２に示す操作パネル部４の操作スイッチ（管球垂直回転動スイッチ４ｅ、管球水平回転動スイッチ４ｄ）でロックを解除して、支柱６の周囲に回動（旋回）でき、かつ取付ブロック８に対して水平軸を介して回転され、その水平軸回転角度が選択された撮影術式に応じて表示パネル５に表示される。
【００１４】
操作パネル部４は、図２（ａ）に示すように各種の操作スイッチと中央に表示パネル５を備えるとともに、操作ハンドル３をＸ線管装置１に一体的に取付け、制御部１０が背後に配置されたもので、キャリッジ部７の移動及び支柱６の上下動に対するロック／解除制御用の操作スイッチ（長手動スイッチ４ａ、短手動スイッチ４ｂ、上下動スイッチ４ｃ、長手短手上下動スイッチ４ｆ）と、Ｘ線管装置１の支柱６回りのロック／解除及び自動ロック制御用の操作スイッチ（管球垂直回転動スイッチ４ｅ）および取付ブロック８に対する水平軸回転のロック／解除制御用の操作スイッチ（管球水平回転動スイッチ４ｄ）が設けられている。
表示パネル５は、液晶など（７セグメント表示器などを含む）のフラットな表示パネルで構成され、操作パネル部４の中央に設けられる。図２（ｂ）に示すように、Ｘ線発生器操作卓で選択された指定管球やＸ線曝射中などの情報を表示するＸ線発生器情報表示部５ａと、Ｘ線発生器操作卓で設定されたＸ線撮影条件（ｋＶ、ｍＡ、ｓｅｃなど）を表示する撮影条件表示部５ｂと、Ｘ線管装置１の水平軸回転角度を撮影術式に応じて角度位置基準を変更されてデジタル表示する管球角度表示部５ｃ、およびＦＦＤ（フイルム焦点間距離）を表示するＦＦＤ表示部５ｄと、操作パネル部４側で撮影術式を設定できる機能スイッチ５ｅとから構成される。
機能スイッチ５ｅは、表示パネル５の画面に設けられ、発生器操作卓で撮影術式が選択されていない時などに、操作パネル部４側で画面の機能操作スイッチ５ｅを操作することによって、制御部１０の撮影術式角度記憶装置１０ａに記憶された撮影術式の角度情報が読み取られ、その信号によって表示変更器１０ｂで角度基準位置が変更され、回転方向の定義がされ、表示パネル５の管球角度表示部５ｃに信号が送られ、受像部の法線方向と一致する角度を角度基準位置０°とし回転方向の角度表示増減（時計回りを＋、反時計回りを−）を表示する。
【００１５】
制御部１０は、操作パネル部４の後部に配置され、操作パネル部４の操作スイッチを操作したとき、キャリッジ部７及び支柱６の動作、Ｘ線管装置１の回動（旋回）及び回転のロック／解除の制御を行う機能と、撮影術式のＸ線入射角度が受像部の法線方向と一致する角度情報を記憶した図３に示す撮影術式角度記憶装置１０ａと、その角度を基準位置に変更し回転方向を定義する表示変更器１０ｂとを備えている。
撮影術式角度記憶装置１０ａは、制御部１０に設けられ、Ｘ線入射角度が受像部１１または受像部１３の法線方向と一致する角度情報を記憶したものである。撮影術式、例えば、図１に示す立位撮影台９を用いて撮影を行う場合、Ｘ線発生器操作卓で立位撮影の術式を選択すると、立位撮影台９の受像部１１へのＸ線入射角度が受像部１１の法線方向と一致する角度情報（＋９０°）を撮影術式角度記憶装置１０ａから読み出される。
表示変更器１０ｂは、撮影術式角度記憶装置１０ａから読み出された角度情報を角度基準位置０°に変更し、Ｘ線管装置１の回転方向の角度表示増減（時計回りを＋、反時計回りを−）を定義して、表示パネル５の管球角度表示部５ｃに信号を送る。例えば、立位撮影台９を用いて撮影を行う場合、角度情報（＋９０°）を角度基準位置０°に変更し、回転方向を時計回りに＋、反時計回りに−と定義する。
【００１６】
次に、本天井懸垂式Ｘ線管保持装置の操作について説明する。
本天井懸垂式Ｘ線管保持装置は、検査室に立位撮影台９（ブッキースタンド）や水平撮影台１２（テーブル１２ａ）及び透視撮影台などが据付けられ、Ｘ線管装置１と組合せられて、正面撮影、胸部撮影、側面撮影、斜位撮影などが行われる。ここでは、本装置を立位撮影台９と組み合わせて用いられたケースと、水平撮影台１２と組み合わせて用いられたケースについて説明する。
まず、Ｘ線発生器操作卓の撮影術式で立位撮影台９を選択する。その信号が制御部１０の撮影術式角度記憶装置１０ａに送られ、角度情報＋９０°が読み出される。そして、その信号が制御部１０の表示変更器１０ｂに送られ、角度情報＋９０°が角度基準位置０°に変更される。同時に、Ｘ線管装置１の回転方向が時計回りを＋表示、反時計回りを−表示と定義される。
そして、受像部１１（フイルムカセッテをセットしたブッキー撮影装置）がスタンドに設けられた立位撮影台９に、被検者を立位撮影台９側に向けて立たせ、操作者は操作パネル部４の操作ハンドル３を握り、操作スイッチ（長手動スイッチ４ａ、短手動スイッチ４ｂ、上下動スイッチ４ｃ）を選択しロックを解除して、天井のキャリッジ部７を走行させ、支柱６を伸縮させ、取付ブロック８に取付けられたＸ線管装置１を被検者から所定の距離離れた同じ高さに位置させる。そして、操作スイッチ（Ｘ線管装置１の管球垂直回転動スイッチ４ｅ、Ｘ線管装置１の水平軸周りの管球水平回転動スイッチ４ｄ）を押してロックを解除し、Ｘ線管装置１を縦にして、Ｘ線可動絞り２を被検者の撮影部位方向に向け、照準器スイッチ２ａをＯＮして照準し位置決めを行う。このとき立位撮影台９の受像部１１へのＸ線入射角度が受像部１１の法線方向と一致しているならば角度表示は０°を表示する。もし一致していなければ、角度基準位置０°からのずれ角度が＋又は−の角度で表示される。この場合、回転方向が時計回りを＋表示、反時計回りを−表示と定義されるので、その角度ずれを０°にするように、操作パネル部４の管球水平回転動スイッチ４ｄのロックを解除しながら操作ハンドル３で回転させて、Ｘ線入射角度が受像部１１の法線方向と一致するように角度表示を０°に表示させる。この作業を繰り返して正確に照準する。そしてＸ線照射を行い、撮影を終了する。
【００１７】
次に、Ｘ線発生器操作卓の撮影術式で水平撮影台１２を選択する。その信号が制御部１０の撮影術式角度記憶装置１０ａに送られ、角度情報０°が読み出される。そして、その信号が制御部１０の表示変更器１０ｂに送られ、角度情報０°が角度基準位置０°として設定される。同時に、Ｘ線管装置１の回転方向が時計回りを＋表示、反時計回りを−表示と定義される。
そして、受像部１３（フイルムカセッテをセットしたブッキー撮影装置）がテーブル１２ａに設けられた水平撮影台１２に、被検者を臥位にして載せ、操作者は操作パネル部４の操作ハンドル３を握り、操作スイッチ（長手動スイッチ４ａ、短手動スイッチ４ｂ、上下動スイッチ４ｃ）を選択しロックを解除して、天井のキャリッジ部７を走行させ、支柱６を伸縮させ、取付ブロック８に取付けられたＸ線管装置１を被検者から所定の距離離れた上部に位置させる。そして、操作スイッチ（Ｘ線管装置１の管球垂直回転動スイッチ４ｅ、Ｘ線管装置１の水平軸周りの管球水平回転動スイッチ４ｄ）を押してロックを解除し、Ｘ線管装置１を水平にして、Ｘ線可動絞り２を被検者の撮影部位方向に向け、照準器スイッチ２ａをＯＮして照準し位置決めを行う。このとき水平撮影台１２の受像部１３へのＸ線入射角度が受像部１３の法線方向と一致しているならば角度表示は０°を表示する。もし一致していなければ、角度基準位置０°からのずれ角度が＋又は−の角度で表示される。この場合、回転方向が時計回りを＋表示、反時計回りを−表示と定義されるので、その角度ずれを０°にするように、操作パネル部４の管球水平回転動スイッチ４ｄのロックを解除しながら操作ハンドル３で回転させて、Ｘ線入射角度が受像部１３の法線方向と一致するように角度表示を０°に表示させる。この作業を繰り返して正確に照準する。そしてＸ線照射を行い、撮影を終了する。
上記の撮影術式がＸ線発生器操作卓または外部の装置で選択されていない時、操作パネル部４の表示パネル５の機能スイッチ５ｅの操作で、撮影術式を選択することもできる。機能スイッチ５ｅの撮影術式表示をタッチするだけで設定される。
【００１８】
図４に、Ｘ線管装置１に対して左側の立位撮影台を用いて下方に斜入角撮影を行う状態（ａ）と、右側の立位撮影台を用いて下方に斜入角撮影を行う状態（ｂ）を示す。
（ａ）において、受像部１１の法線方向では、操作パネル部４の表示パネル５の角度表示は従来の装置であれば＋９０°を表示するが、本装置では撮影術式が選択されていると、角度基準位置０°を表示する。そして下方に１０°の斜入角撮影を行う時は、表示パネル５の角度表示が−１０°になるようにＸ線管装置１を回転すればよい。
（ｂ）において、受像部１１の法線方向では、操作パネル部４の表示パネル５の角度表示は従来の装置であれば−９０°を表示するが、本装置では撮影術式が選択されていると、角度基準位置０°を表示する。そして下方に１０°の斜入角撮影を行う時は、表示パネル５の角度表示が−１０°になるようにＸ線管装置１を回転すればよい。
【００１９】
Ｘ線管装置１の水平軸回転方向は、回転軸ギヤにポテンショメータやエンコーダなどのセンサが取り付けられて、装置組み立て時に登録位置のセンサのデータを数点記憶させる。その記憶されたデータ（ＡＤ変換値など）を、角度に校正する計算をコンピュータによって行い、その計算結果を表示パネル５上の７セグメント表示器又は液晶パネルなどの管球角度表示部５ｃにデジタル値として表示する。
本発明の装置は、この表示データを外部からのトリガーにより、角度基準位置（主に０°）及び回転方向の表示を変更する。水平位の場合、テーブル側にＸ線管装置１が向いた時が０°で、時計回りの回転を正方向とし、立位の場合、スタンド側にＸ線管装置１が向いた時に絶対位置では＋９０°と表示するところを０°に切換える。逆方向にスタンド（受像部）がある場合は、絶対位置が−９０°となるところを０°に切換え、同時に回転方向の定義を逆にすることで、スタンド（受像部）に対するＸ線の入射角度を同じ値にできる。
【００２０】
上記の実施例では、撮影台が水平又は垂直の場合について説明したが、任意の角度位置で、撮影術式の撮影を登録しておけば、その角度位置が角度基準位置０°として使用でき、カウンターリセット方式も可能である。
【図面の簡単な説明】
【００２１】
【図１】本発明の天井懸垂式Ｘ線管保持装置の実施方法の説明図である。（実施例１）
【図２】本発明の天井懸垂式Ｘ線管保持装置の操作パネル部の説明図である。
【図３】本発明の天井懸垂式Ｘ線管保持装置の制御系統を説明する図である。
【図４】本発明の天井懸垂式Ｘ線管保持装置の立位撮影台に対する説明図である。
【図５】従来の天井懸垂式Ｘ線管保持装置を説明するための図である。
【符号の説明】
【００２２】
１  Ｘ線管装置
２  Ｘ線可動絞り
３  操作ハンドル
４  操作パネル部
５  表示パネル
６  支柱
７  キャリッジ部
８  取付ブロック
９  立位撮影台
１０  制御部
１１  受像部
１２  水平撮影台
１２ａ  テーブル
１３  受像部
【図１】
2005065942.tif 000003
【図２】
2005065942.tif 000004
【図３】
2005065942.tif 000005
【図４】
2005065942.tif 000006
【図５】
2005065942.tif 000007